(57)【要約】タブレット型コンピュータ（電子機器の一例）の背面部内面（１１０ｉ）に、所定間隔を空けて平行に延びる一対のリブ（１１０ｄ）が立設されている。ガスケット（１６０）は、一対のリブ（１１０ｄ）の間に配置されている。各リブ（１１０ｄ）の側面のうち他方のリブ（１１０ｄ）に対向する対向側面（１１０ｃ）には、対向側面（１１０ｃ）及び背面部内面（１１０ｉ）と、圧縮された状態のガスケット（１６０）の外面のうち対向側面（１１０ｃ）及び背面部内面（１１０ｉ）に対向する部分（１６０ｆ）とが連続的に接触するように構成された傾斜面（１１０ｅ）が設けられている。
2018186041.tif 000002
【特許請求の範囲】
【請求項１】
導電性を有する筐体と、
導電性を有する外郭部を備え、前記筐体内に、前記外郭部が前記筐体の所定内面に対して離間した状態で収容される電子部品と、
導電性及び弾性を有し、前記電子部品の前記外郭部と前記筐体の前記所定内面との間に前記外郭部と前記所定内面とで圧縮された状態で配置される導電弾性部材と、を備え、
前記所定内面に所定間隔を空けて平行に延びる一対のリブが立設され、
前記導電弾性部材は、前記一対のリブの間に配置され、
前記各リブの側面のうち他方の前記リブに対向する対向側面には、前記対向側面及び前記所定内面と、圧縮された状態の前記導電弾性部材の外面のうち前記対向側面及び前記所定内面に対向する部分とが連続的に接触するように構成された傾斜面が設けられている、
電子機器。
【請求項２】
前記一対のリブの前記所定間隔、前記一対のリブの高さ、及び前記傾斜面の形状は、前記圧縮された状態のときの前記導電弾性部材の形状を、圧縮される前の前記導電弾性部材の形状に基づいて推定することで、設定されている、
請求項１に記載の電子機器。
【請求項３】
前記所定内面に、第２所定間隔を空けて前記一対のリブに直交するように延びる一対の第２リブが立設され、
前記導電弾性部材は、前記一対の前記第２リブの間に配置されている、
請求項１または２に記載の電子機器。
【請求項４】
前記各第２リブの側面のうち他方の前記第２リブに対向する第２対向側面には、前記第２対向側面及び前記所定内面と、圧縮された状態の前記導電弾性部材の外面のうち前記第２対向側面及び前記所定内面に対向する部分とが連続的に接触するように構成された第２傾斜面が設けられている、
請求項３に記載の電子機器。
【請求項５】
前記一対の第２リブの前記第２所定間隔、前記一対の第２リブの高さ、及び前記第２傾斜面の形状は、前記圧縮された状態のときの前記導電弾性部材の形状を、圧縮される前の前記導電弾性部材の形状に基づいて推定することで、設定されている、
請求項４に記載の電子機器。
【請求項６】
前記電子部品は、ＵＳＢコネクタであり、
前記外郭部は、前記ＵＳＢコネクタのシェルである、
請求項１から５のいずれか１項に記載の電子機器。
【請求項７】
前記電子部品は、ＨＤＭＩコネクタであり、
前記外郭部は、前記ＨＤＭＩコネクタのシェルである、
請求項１から５のいずれか１項に記載の電子機器。
【発明の詳細な説明】
【技術分野】
【０００１】
本開示は、導電弾性部材を有する電子機器に関する。
【背景技術】
【０００２】
特許文献１は、撮像装置の内部に設けられてグランドに接続された板金と導電性カバーとを圧縮されたＥＭＩガスケットを介して導通させる構造を開示している。
【先行技術文献】
【特許文献】
【０００３】
【特許文献１】特開２０１３−１２０３０７号公報
【発明の概要】
【０００４】
ＥＭＩガスケットは圧縮される際に転がって位置ずれを起こす場合がある。
【０００５】
本開示は、導電弾性部材の転がりを抑制しつつ、電磁ノイズの不要放射を抑制した電子機器を提供する。
【０００６】
本開示の一態様に係る電子機器は、導電性を有する筐体と、導電性を有する外郭部を備え、筐体内に、外郭部が筐体の所定内面に対して離間した状態で収容される電子部品と、導電性及び弾性を有し、電子部品の外郭部と筐体の所定内面との間に外郭部と所定内面とで圧縮された状態で配置される導電弾性部材と、を備える。所定内面に所定間隔を空けて平行に延びる一対のリブが立設されている。導電弾性部材は、一対のリブの間に配置されている。各リブの側面のうち他方のリブに対向する対向側面には、対向側面及び所定内面と、圧縮された状態の導電弾性部材の外面のうち対向側面及び所定内面に対向する部分とが連続的に接触するように構成された傾斜面が設けられている。
【０００７】
本開示の一態様では、導電弾性部材が一対のリブの間に配置されることで、導電弾性部材は一対のリブの間の領域の外側には移動できなくなる。そのため、導電弾性部材の転がりを抑制できる。また、導電弾性部材は、電子部品の外郭部と筐体の所定内面との間に外郭部と所定内面とで圧縮された状態で配置される。この導電弾性部材と、各リブの対向側面及び筐体の所定内面とを、連続的に接触させることができる。そのため、電磁ノイズの不要放射を抑制できる。
【図面の簡単な説明】
【０００８】
【図１】図１は、実施の形態１におけるタブレット型コンピュータの前面側の斜視図である。
【図２】図２は、タブレット型コンピュータの背面側の斜視図である。
【図３】図３は、タブレット型コンピュータのＵＳＢコネクタ配置部分を模式的に示した平面図である。
【図４】図４は、図３のＡ−Ａ断面図である。
【図５Ａ】図５Ａは、一対のリブの間隔、一対のリブの高さ、及び傾斜面の形状と、圧縮前のガスケットの形状との関係を説明した図である。
【図５Ｂ】図５Ｂは、傾斜面の形状の設定に際して仮定した圧縮された状態のガスケットの形状を説明した図である。
【図６Ａ】図６Ａは、課題を説明した図である。
【図６Ｂ】図６Ｂは、課題を説明した図である。
【図７】図７は、実施の形態２におけるタブレット型コンピュータのＵＳＢコネクタ配置部分を模式的に示した平面図である。
【図８】図８は、図７のＢ−Ｂ断面図である。
【図９】図９は、他の実施の形態における図４相当の図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者は、当業者が本開示を十分に理解するために添付図面および以下の説明を提供するのであって、これらによって請求の範囲に記載の主題を限定することを意図するものではない。
【００１１】
（実施の形態１）
以下、図面を参照して実施の形態１を説明する。
【００１２】
［１．構成］
［１−１．概要］
図１は、実施の形態１におけるタブレット型コンピュータの前面側の斜視図である。図２は、タブレット型コンピュータの背面側の斜視図である。
【００１３】
タブレット型コンピュータ１００は、前面側に、表示部１０１を有している。表示部１０１は、例えば液晶表示パネルで構成される。また、表示部１０１は、ユーザのタッチ操作を受付可能なタッチパネルを有する。タブレット型コンピュータ１００の内部には、中央演算処理装置（ＣＰＵ）、揮発性記憶装置（ＲＡＭ）、不揮発性記憶装置（ＲＯＭ、ＳＳＤ等）、通信モジュール等の種々の電子部品が収容されている。また、タブレット型コンピュータ１００の内部には、これらの電子部品に電力を供給するバッテリが収容されている。不揮発性記憶装置（ＲＯＭ、ＳＳＤ等）には、オペレーティングシステム（ＯＳ）、種々のアプリケーションプログラム、種々のデータ等が格納されている。中央演算処理装置は、ＯＳ、アプリケーションプログラム、種々のデータを読み込んで演算処理を実行することにより、タブレット型コンピュータ１００における種々の機能を実現する。
【００１４】
タブレット型コンピュータ１００の筐体１１０は、例えばマグネシウム合金などの金属や樹脂により形成されている。筐体１１０は、部分的または全体的に、導電性を有する。
【００１５】
図２は、タブレット型コンピュータ１００の背面側の斜視図である。図２に示すように、タブレット型コンピュータ１００の一側部の内部には、ＨＤＭＩ（登録商標、以下同様）コネクタ１３０やＵＳＢコネクタ１４０が配置されている。これらのコネクタには、蓋１２０を開くことでアクセスすることができる。
【００１６】
図３は、タブレット型コンピュータ１００のＵＳＢコネクタ１４０配置部分を模式的に示した平面図である。図４は、図３のＡ−Ａ断面図である。なお、図３では、前面筐体１１１及び基板１５０の図示を省略している。図４に示すように、筐体１１０は、筐体１１０の前面側を構成する前面筐体１１１と、背面側を構成する背面筐体１１２とを有する。ＵＳＢコネクタ１４０は、基板１５０において背面筐体１１２に対向する面に実装されている。基板１５０は、背面筐体１１２に図示しないネジ等を利用して固定されている。ＵＳＢコネクタ１４０は、金属製で導電性を有するシェル１４１を有する。ＵＳＢコネクタ１４０は、シェル１４１が背面筐体１１２の背面部１１０ａの内面に対して離間させた状態で筐体１１０内に収容される。シェル１４１は、基板１５０のグランドに電気的に接続される。シェル１４１の内側の空間には、外部機器や接続ケーブルのＵＳＢコネクタ（プラグ）が接続されたときに、当該ＵＳＢコネクタ（プラグ）の複数の信号／電力端子に接触し信号や電力を授受する複数の信号／電力端子類（図示せず）が収容されている。これらの端子には、ＵＳＢ規格で伝送可能な高周波数の信号が流れる。図３に示すように、背面筐体１１２の側面部１１０ｂには、ＵＳＢコネクタ１４０の差し込み口を外部に臨ませる開口１１０ｊが設けられている。
【００１７】
図３、図４に示すように、ＵＳＢコネクタ１４０のシェル１４１と筐体１１０の背面部１１０ａの内面１１０ｉ（以下「背面部内面１１０ｉ」という）との間には、シェル１４１と背面部内面１１０ｉとで圧縮された状態でガスケット１６０が配置されている。ガスケット１６０は、例えば、スポンジ状の弾性体を導電性を有する布で被覆した構造を有し、導電性及び弾性を有する。ガスケット１６０は、導電性を有する両面テープ１７０により背面部内面１１０ｉに固着されている。
【００１８】
筐体１１０の背面部内面１１０ｉには、所定間隔ｒ（図５Ａ参照）を空けて平行に延びる一対のリブ１１０ｄが立設されている。ガスケット１６０は、一対のリブ１１０ｄの間に配置されている。
【００１９】
各リブ１１０ｄは、左右の側面のうち他方のリブ１１０ｄに対向する対向側面１１０ｃを有する。各対向側面１１０ｃには、傾斜面１１０ｅが設けられている。傾斜面１１０ｅは、対向側面１１０ｃ及び背面部内面１１０ｉと、圧縮された状態のガスケット１６０の外面のうち対向側面１１０ｃ及び背面部内面１１０ｉに対向する部分１６０ｆとが連続的に接触するように、形成されている。
【００２０】
リブ１１０ｄや傾斜面１１０ｅの形状に関して図５Ａ、図５Ｂを参照してより詳しく説明する。図５Ａは、一対のリブ１１０ｄの間隔、一対のリブ１１０ｄの高さ、及び傾斜面１１０ｅの形状と、圧縮前のガスケット１６０の形状との関係を説明した図である。図５Ｂは、傾斜面１１０ｅの形状の設定に際して仮定した圧縮された状態のガスケット１６０の形状を説明した図である。
【００２１】
ガスケット１６０は、ＵＳＢコネクタ１４０のシェル１４１と背面筐体１１２の背面部１１０ａとで挟まれて装置厚み方向に圧縮される。本実施形態では、このときにガスケット１６０が図５Ｂに示すように、圧縮前の厚さの５０％の厚さに圧縮されることを想定している。また、このように圧縮されたときに、図５Ｂに示すように、正面形状が扁平な六角形に変形されるものと想定している。そして、このように変形したガスケット１６０の外面のうち、下面１６０ａに筐体１１０の背面部内面１１０ｉが接触し、斜面１６０ｂにリブ１１０ｄの傾斜面１１０ｅが接触するように、傾斜面１１０ｅの形状を設定している。
【００２２】
例えば、図５Ａに示すような、圧縮前の正面形状が矩形状で高さｈを有するガスケット１６０を５０％の高さ（ｈ／２）に圧縮した場合において、ガスケット１６０における長さａは数式１で示す長さになるものと仮定する。そして、この長さａ及び圧縮前のガスケット１６０の幅ｗを数式２に適用することで、一対のリブ１１０ｄの上記所定間隔ｒを設定する。また、リブ１１０ｄの高さｔは、数式３で示すように、圧縮前のガスケット１６０の高さｈの半分の高さ（０．５ｈ）よりも高くなるように設定する。
【００２３】
【数１】
2018186041.tif 000003
【００２４】
【数２】
2018186041.tif 000004
【００２５】
【数３】
2018186041.tif 000005
【００２６】
そして、傾斜面１１０ｅは、リブ１１０ｄにおいて背面部１１０ａからｈ／４上方となる位置と、一方のリブ１１０ｄの対向側面１１０ｃから他方の対向側面１１０ｃ側に長さａの位置と、を結ぶ直線的な面に設定する。このとき、正面から見た傾斜面１１０ｅの長さは、ｈ／２とする。
【００２７】
上記のようにリブ１１０ｄや傾斜面１１０ｅの形状を設定することで、圧縮された状態のガスケット１６０の外面と対向側面１１０ｃ及び背面部内面１１０ｉとを連続的に接触させることができる。
【００２８】
なお、圧縮された状態のガスケット１６０の実際の形状は、上記のような正面視で六角形とはならず、若干丸みを帯びた形状となる。丸みを帯びた形状になることで、ガスケット１６０の下面１６０ａ及び斜面１６０ｂ側が背面部内面１１０ｉ及び傾斜面１１０ｅに押し付けられることで密着しやすくなる。
【００２９】
図６Ａは、従来技術の課題を説明した図である。従来の構成では、図６Ａに示すように、本実施形態のようなリブ１１０ｄも傾斜面１１０ｅも設けられていない。ガスケット１６０は、ＵＳＢコネクタ１４０のシェル１４１と筐体１１０の背面部内面１１０ｉとで圧縮される。この際、ガスケット１６０は、圧縮力の方向によっては、図６Ａで左右方向に転がる。その結果、本来配置されるべき位置に対して、二点鎖線で示すように、位置ずれすることがあった。位置ずれを起こすと、周囲に存在する他の部品と接触し、ショート等を起こすおそれがあった。
【００３０】
図６Ｂは、図６Ａの構成における課題を解決するために発明者が考案した構成を示す。図６Ｂの構成では、筐体１１０の背面部内面１１０ｉに、間隔を空けて平行に延びる一対のリブ１１０ｄが立設されている。ガスケット１６０は、一対のリブ１１０ｄの間に配置される。この構成では、ガスケット１６０の転がりを一対のリブ１１０ｄにより抑制することができるが、別の課題が生じた。つまり、リブ１１０ｄの基端部付近において、リブ１１０ｄの対向側面１１０ｃ及び筐体１１０の背面部内面１１０ｉとの間に隙間Ｓｐが生じ、ガスケット１６０と筐体１１０との間に十分な接触面積を確保できない場合があった。電磁ノイズの不要放射をより抑制するためには、ガスケット１６０と筐体１１０との接触面積をできるだけ大きくし、両者の接触抵抗をできるだけ少なくすることが好ましいが、図６Ｂの構成では、これが困難であった。
【００３１】
この課題に対処するため、図４のように傾斜面１１０ｅを設けるとともに、傾斜面１１０ｅの形状を、上記のように圧縮された状態のガスケット１６０の形状に基づいて設定したものである。これにより、ガスケット１６０と筐体１１０との間の隙間Ｓｐをなくし、ガスケット１６０と、各リブ１１０ｄの対向側面１１０ｃ及び筐体１１０の背面部内面１１０ｉとを連続的に接触させることができる。そのため、ガスケット１６０と筐体１１０との接触面積を大きくして接触抵抗を少なくし、もって電磁ノイズの不要放射を抑制できる。また、ガスケット１６０の転がりも防止できる。
【００３２】
（実施の形態２）
実施の形態２について説明する。図７は、実施の形態２におけるタブレット型コンピュータのＵＳＢコネクタ１４０配置部分を模式的に示した平面図である。図８は、図７のＢ−Ｂ断面図である。
【００３３】
図７、図８に示すように、筐体１１０の背面部１１０ａの内面には、第２所定間隔ｒ２を空けて、上記の一対のリブ１１０ｄに直交するように延びる一対の第２リブ１１０ｆが立設される。ガスケット１６０は、一対のリブ１１０ｄの間に配置されている。加えて、ガスケット１６０は、一対の第２リブ１１０ｆの間にも配置されている。
【００３４】
また、各第２リブ１１０ｆは、その左右の側面のうち他方の第２リブ１１０ｆに対向する第２対向側面１１０ｇを有する。ガスケット１６０は、その外面のうち第２対向側面１１０ｇ及び背面部内面１１０ｉに対向する部分１６０ｇを有する。ガスケット１６０の部分１６０ｇが第２対向側面１１０ｇ及び背面部内面１１０ｉに連続的に接触するように、第２対向側面１１０ｇに第２傾斜面１１０ｈが設けられている。一対の第２リブ１１０ｆの第２所定間隔ｒ２及び高さｔ２及び第２傾斜面１１０ｈの形状は、リブ１１０ｄ及び傾斜面１１０ｅ同様の考え方に基づいて形成されている。
【００３５】
実施の形態２によれば、一対の第２リブ１１０ｆ及び第２傾斜面１１０ｈを設けたことで、リブ１１０ｄに沿う方向にガスケット１６０が転がることについても抑制可能となる。また、その場合でも、ガスケット１６０と、各第２リブ１１０ｆの第２対向側面１１０ｇ及び筐体１１０の背面部内面１１０ｉとを連続的に接触させることができる。そのため、電磁ノイズの不要放射をより一層抑制できる。
【００３６】
［２．効果等］
実施の形態１，２のタブレット型コンピュータ１００（電子機器の一例）は、筐体１１０と、ＵＳＢコネクタ１４０（電子部品の一例）と、ガスケット１６０（導電弾性部材の一例）と、を備える。筐体１１０は、導電性を有する。ＵＳＢコネクタ１４０は、導電性を有するシェル１４１（外郭部の一例）を備え、筐体１１０内に、シェル１４１が筐体１１０の背面部内面１１０ｉ（所定内面の一例）に対して離間した状態で収容される。ガスケット１６０は、導電性及び弾性を有し、ＵＳＢコネクタ１４０のシェル１４１と筐体１１０の背面部内面１１０ｉとの間にシェル１４１と背面部内面１１０ｉとで圧縮された状態で配置される。背面部内面１１０ｉに所定間隔ｒを空けて平行に延びる一対のリブ１１０ｄが立設されている。ガスケット１６０は、一対のリブ１１０ｄの間に配置されている。各リブ１１０ｄの側面のうち他方のリブ１１０ｄに対向する対向側面１１０ｃには、傾斜面１１０ｅが設けられている。傾斜面１１０ｅは、対向側面１１０ｃ及び背面部内面１１０ｉと、圧縮された状態のガスケット１６０の外面のうち対向側面１１０ｃ及び背面部内面１１０ｉに対向する部分１６０ｆとが連続的に接触するように構成されている。
【００３７】
実施形態１，２では、ガスケット１６０が一対のリブ１１０ｄの間に配置されることで、ガスケット１６０は一対のリブ１１０ｄの間の領域の外側には移動できなくなる。そのため、ガスケット１６０の転がりを抑制できる。また、ＵＳＢコネクタ１４０のシェル１４１と筐体１１０の背面部内面１１０ｉとの間にシェル１４１と背面部内面１１０ｉとで圧縮された状態でガスケット１６０が配置される。ガスケット１６０と、各リブ１１０ｄの対向側面１１０ｃ及び筐体１１０の背面部内面１１０ｉとが、連続的に接触することができる。そのため、電磁ノイズの不要放射を抑制できる。
【００３８】
実施の形態１，２において、一対のリブ１１０ｄの所定間隔ｒ、一対のリブ１１０ｄの高さｈ、及び傾斜面１１０ｅの形状は、圧縮された状態のときのガスケット１６０の形状を、圧縮される前のガスケット１６０の形状に基づいて推定することで、設定されている。
【００３９】
これにより、一対のリブ１１０ｄの所定間隔ｒ、一対のリブ１１０ｄの高さｈ、及び傾斜面１１０ｅの形状を、利用するガスケット１６０の形状に応じて適切に設定できる。
【００４０】
実施の形態２において、背面部内面１１０ｉに、第２所定間隔ｒ２を空けて一対のリブ１１０ｄに直交するように延びる一対の第２リブ１１０ｆが立設されている。ガスケット１６０は、一対の第２リブ１１０ｆの間に配置されている。
【００４１】
ガスケット１６０が一対の第２リブ１１０ｆの間に配置されることで、ガスケット１６０は一対の第２リブ１１０ｆの間の領域の外側には移動できなくなる。そのため、ガスケット１６０の転がりを一層良好に抑制できる。
【００４２】
実施の形態２において、各第２リブ１１０ｆの側面のうち他方の第２リブ１１０ｆに対向する第２対向側面１１０ｇには、第２傾斜面１１０ｈが設けられている。第２傾斜面１１０ｈは、第２対向側面１１０ｇ及び背面部内面１１０ｉと、圧縮された状態のガスケット１６０の外面のうち第２対向側面１１０ｇ及び背面部内面１１０ｉに対向する部分１６０ｇとが連続的に接触するように構成されている。
【００４３】
これにより、ガスケット１６０と、各第２リブ１１０ｆの第２対向側面１１０ｇ及び筐体１１０の背面部内面１１０ｉとを、連続的に接触させることができる。そのため、電磁ノイズの不要放射を一層良好に抑制できる。
【００４４】
実施の形態２において、一対の第２リブ１１０ｆの第２所定間隔ｒ２、一対の第２リブ１１０ｆの高さｈ２、及び第２傾斜面１１０ｈの形状は、圧縮された状態のときのガスケット１６０の形状を、圧縮される前のガスケット１６０の形状に基づいて推定することで、設定されている。
【００４５】
これにより、一対の第２リブ１１０ｆの第２所定間隔ｒ２、一対の第２リブ１１０ｆの高さｈ２、及び第２傾斜面１１０ｈの形状を、利用するガスケット１６０の形状に応じて適切に設定できる。
【００４６】
実施の形態１，２において、電子部品は、ＵＳＢコネクタ１４０であり、外郭部は、ＵＳＢコネクタ１４０のシェル１４１である。
【００４７】
これにより、高周波の電磁ノイズを発生しやすいＵＳＢコネクタ１４０による不要放射を抑制することができる。
【００４８】
（他の実施形態）
以上のように、本開示における技術の例示として、実施の形態１，２を説明した。しかしながら、本開示における技術は、これに限定されず、適宜、変更、置き換え、付加、省略などを行った実施の形態にも適用可能である。また、上記実施の形態１，２で説明した各構成要素を組み合わせて、新たな実施の形態とすることも可能である。そこで、以下、他の実施の形態を例示する。
（１）実施の形態１，２では、電子部品がＵＳＢコネクタ１４０であり、外郭部がＵＳＢコネクタ１４０のシェル１４１である場合を例示した。しかし、本開示において、電子部品は金属製の外郭部を有する電子部品であればよく、例えば、電子部品は、ＨＤＭＩコネクタで、外郭部は、ＨＤＭＩコネクタのシェルであってもよい。これにより、高周波の電磁ノイズを発生しやすいＨＤＭＩコネクタによる不要放射を抑制することができる。
（２）実施の形態２では、第２リブ１１０ｆにも第２傾斜面１１０ｈが設けられている場合を例示した。しかし、本開示では、第２リブに第２傾斜面が設けられることは必須ではない。
（３）実施の形態１，２では、傾斜面１１０ｅ及び第２傾斜面１１０ｈは直線的に傾斜している。しかし、傾斜面１１０ｅ及び第２傾斜面１１０ｈは、曲線状に傾斜していてもよい。例えば、図９に示すように傾斜面１１０ｅｄは、曲線状に傾斜していてもよい。図９では、実施の形態１の図４に対して傾斜面１１０ｅｄの形状のみを変更した例を示している。
【００４９】
以上のように、本開示における技術の例示として、実施の形態を説明した。そのために、添付図面および詳細な説明を提供した。したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。また、上述の実施の形態は、本開示における技術を例示するためのものであるから、請求の範囲またはその均等の範囲において種々の変更、置き換え、付加、省略などを行うことができる。
【産業上の利用可能性】
【００５０】
本開示は、導電弾性部材を有する電子機器において広く利用可能である。
【符号の説明】
【００５１】
１００  タブレット型コンピュータ
１０１  表示部
１１０  筐体
１１０ａ  背面部
１１０ｂ  側面部
１１０ｃ  対向側面
１１０ｄ  リブ
１１０ｅ  傾斜面
１１０ｅｄ  傾斜面
１１０ｆ  第２リブ
１１０ｇ  第２対向側面
１１０ｈ  第２傾斜面
１１０ｉ  背面部内面
１１０ｊ  開口
１１１  前面筐体
１１２  背面筐体
１２０  蓋
１３０  ＨＤＭＩコネクタ
１４０  ＵＳＢコネクタ
１４１  シェル
１５０  基板
１６０  ガスケット
１６０ａ  下面
１６０ｂ  斜面
１７０  両面テープ
【図１】
2018186041.tif 000006
【図２】
2018186041.tif 000007
【図３】
2018186041.tif 000008
【図４】
2018186041.tif 000009
【図５Ａ】
2018186041.tif 000010
【図５Ｂ】
2018186041.tif 000011
【図６Ａ】
2018186041.tif 000012
【図６Ｂ】
2018186041.tif 000013
【図７】
2018186041.tif 000014
【図８】
2018186041.tif 000015
【図９】
2018186041.tif 000016
【国際調査報告】
2018186041.tif 000017
2018186041.tif 000018